(57)【要約】【課題】  ユーザによる操作を必要とせずに、携帯音楽再生装置で記憶している多数の音楽から、ユーザの置かれている状況に適合するものを自動的に抽出して再生する。【解決手段】  携帯音楽再生装置２が携帯電話１に搭載されるか、これらが別個の装置であっても両者は無線などにより通信可能である。携帯音楽再生装置２に音楽データとシーンパラメータが記憶されている。携帯音楽再生装置２は、携帯電話の基地局１０からの「時間」「場所」「天気」「外的状況」「内的状況」などのシーンパラメータを受け取り、当該シーンパラメータに一致する音楽データを抽出して再生する。【選択図】              図１
2006259082.tif 000002
【特許請求の範囲】
【請求項１】
携帯電話の基地局と、携帯電話と、これに接続可能な又は内蔵される音楽再生装置とを備えるシステムにおいて、前記音楽再生装置で記憶している多数の音楽からユーザのおかれている状況に適合するものを抽出して再生するための方法であって、
複数の音楽データを用意し、
前記複数の音楽データそれぞれに予め定められた複数のシーンパラメータの少なくともひとつを対応付け、
前記音楽再生装置に前記複数の音楽データ及び対応付けられた前記シーンパラメータを記憶し、
前記複数のシーンパラメータから選択された一部のシーンパラメータを前記基地局から送信し、
前記携帯電話で前記基地局からシーンパラメータを受信し、
受信した前記シーンパラメータを前記音楽再生装置へ送出し、
前記音楽再生装置で前記基地局から受信した前記シーンパラメータに一致又は対応するシーンパラメータが対応付けられた音楽データを前記複数の音楽データから抽出し、
抽出された音楽データを前記音楽再生装置で再生する、ことを特徴とする携帯音楽再生装置の音楽再生方法。
【請求項２】
前記音楽データに対応づけられるシーンパラメータは時刻又は時間帯を示すものであり、
前記基地局から受信するシーンパラメータは少なくとも時刻情報を含むものであり、
前記音楽再生装置で前記基地局から受信した時刻情報に一致又は対応する時刻又は時間帯のシーンパラメータが対応付けられた音楽データを前記複数の音楽データから選択することを特徴とする請求項１記載の携帯音楽再生装置の音楽再生方法。
【請求項３】
前記音楽データに対応づけられるシーンパラメータは前記基地局ごとに予め定められた場所を示すものであり、
前記基地局から受信するシーンパラメータは少なくとも当該基地局の識別情報又は場所情報を含むものであり、
前記音楽再生装置で前記基地局から受信した識別情報又は場所情報に一致又は対応するシーンパラメータが対応付けられた音楽データを前記複数の音楽データから選択することを特徴とする請求項１記載の携帯音楽再生装置の音楽再生方法。
【請求項４】
前記音楽データに対応づけられるシーンパラメータは予め定められた他の携帯電話との相対的位置関係を示すものであり、
前記基地局から受信するシーンパラメータは少なくとも前記他の携帯電話の位置情報を含むものであり、
前記携帯電話で前記基地局から受信する当該基地局の場所情報又はＧＰＳなどの位置測定手段の出力に基づき自分の前記携帯電話の位置情報を取得し、
前記他の携帯電話の位置情報と自分の前記携帯電話の位置情報に基づき両者の相対的位置関係を取得し、
前記音楽再生装置で前記相対的位置関係に一致又は対応するシーンパラメータが対応付けられた音楽データを前記複数の音楽データから選択することを特徴とする請求項１記載の携帯音楽再生装置の音楽再生方法。
【請求項５】
前記音楽データに対応づけられるシーンパラメータは予め定められた他の携帯電話との相対的位置関係を示すものであり、
前記基地局から受信するシーンパラメータは少なくとも前記他の携帯電話との相対的位置情報を含むものであり、
前記音楽再生装置で前記相対的位置関係に一致又は対応するシーンパラメータが対応付けられた音楽データを前記複数の音楽データから選択することを特徴とする請求項１記載の携帯音楽再生装置の音楽再生方法。
【請求項６】
携帯電話に接続可能な又は内蔵される音楽再生装置であって、音楽データ及び前記音楽データに対応付けられた少なくともひとつのシーンパラメータを含むデータを複数記憶している音楽再生装置において、複数の音楽データからユーザのおかれている状況に適合するものを抽出して再生する方法をコンピュータに実行させるためのプログラムであって、
前記携帯電話で基地局からシーンパラメータを受信し、
受信した前記シーンパラメータを前記携帯電話から受け、
前記音楽再生装置で前記基地局から受信した前記シーンパラメータに一致又は対応するシーンパラメータが対応付けられた音楽データを前記複数の音楽データから抽出し、
抽出された音楽データを前記音楽再生装置で再生する、ことを実行させるためのプログラム。
【請求項７】
抽出された音楽データを前記音楽再生装置で再生しているときにキャンセル操作が行われた場合において、前記音楽再生装置でユーザに対して当該音楽が現在の状況にふさわしくないからキャンセルするのか、それとも一時的にキャンセルをするのかを問う表示を行い、
ユーザから前記表示に対する回答又は操作を受け、
前記回答又は操作に応じて当該音楽データの前記シーンパラメータを削除する、ことをさらに実行させるための請求項６記載のプログラム。
【請求項８】
前記シーンパラメータが全く対応づけられていない音楽データを検索し、
前記検索された音楽データを再生し、
ユーザによるキャンセル操作が行われるかどうか監視し、
ユーザによるキャンセル操作が行われなかったときに前記検索された音楽データに受信した前記シーンパラメータを割り当てる、ことをさらに実行させるための請求項６記載のプログラム。
【発明の詳細な説明】
【技術分野】
【０００１】
この発明は、音楽再生装置を内蔵する携帯電話（又は、携帯電話に接続可能な音楽再生装置）で記憶している多数の音楽から状況に適合するものを抽出して再生するための方法及びプログラムに関する。
【背景技術】
【０００２】
携帯音楽再生装置が普及している。以前から携帯音楽再生装置が市販されていたが、カセットテープやミニディスクの再生装置であった。最近の携帯音楽再生装置は、大容量のメモリやハードディスクを内蔵し、カセットテープの再生装置に比べて非常に多数の音楽データを記憶することができるものである。このような携帯音楽再生装置によれば、いつでもどこでも好きな音楽を楽しむことができ、しかもカセットテープなどのメディアの交換が不要なため大変使いやすい。このような理由から大容量の音楽データを記憶できる携帯音楽再生装置の販売が伸びている。
【０００３】
大容量の音楽データを記憶できる携帯音楽再生装置（以下、「携帯音楽再生装置」と記す）は、非常に多数の音楽を持ち運ぶことができ、任意の時間・場所で再生可能という優れた特質を備えるが、他方、大容量で非常に多数の音楽データを記憶しているがゆえの使いにくさも指摘されるようになった。つまり、あまりに多数の音楽があるため、どれを再生するのか、どのような順番で再生するのか、を指定することがユーザにとって面倒になってきたのである（媒体としてカセットテープを利用する装置の場合、カセットテープを交換するという行為が音楽を選択することであったが、携帯音楽再生装置ではそのような行為は存在しない、したがって再生の際に音楽を選択するという操作が要求される）。もっとも単純には、携帯音楽再生装置は記憶している順番に音楽を再生するが、それでは何度も聞くうちに飽きてしまう。そこで、ランダムに音楽の再生順序を入れ替える、いわゆるシャッフル機能をもつ携帯音楽再生装置が提供されるようになった。
【特許文献１】特開２００２−７３０５１号公報：コンテンツデータのメタデータに基づいて決定された再生順序に従ってコンテンツデータを再生する。携帯電話機の制御部は、通常、音楽データがダウンロードされた順序に従って再生順序リストを作成し、再生順序リストに従って音楽データを再生する。そして、制御部は、ユーザによって音楽データのメタデータに含まれるタイトル等の関連情報が入力されると、その入力された関連情報に基づいて再生順序を変更させた再生順序リストを作成し、再生順序リストに従って音楽データを再生する。
【発明の開示】
【発明が解決しようとする課題】
【０００４】
しかし、シャッフル機能は単に順番を入れ替えるだけであり、記憶している音楽データを順番に再生することに変わりがない。そのため、出勤途中で静かなムードミュージックを聞くことになったり、夜ひとりで過ごしているときにロックミュージックを聞くことになったり、そのときの状況にそぐわない音楽を聞かされることもあり得る。どのような音楽データを携帯音楽再生装置に記憶させるかはユーザひとりひとりで異なるが、非常に多数の音楽データを記憶可能であることから、さまざまなジャンルの音楽データを記憶させることが多いと考えられる。そうであれば、どのユーザも多かれ少なかれ上述のような使いにくさを感じているであろう。
【０００５】
そのときの状況に合った音楽を聞くためには、聞きたい曲をユーザが予め選択しておけばよいが、前述のように、多数の音楽のうち、どれを再生するのか、どのような順番で再生するのか、を指定する操作はユーザにとって面倒なことである。特許文献１記載の発明によればその操作を少し簡便にできるが、ユーザに何らかの操作を要求する点は同じである。
【０００６】
このようなことを考えると、ユーザの置かれた状況に適する音楽を自動的に選択して再生する機能又はサービスであって、ユーザの操作を一切必要としないものを提供すれば、広く受け入れられると考えられる。
【０００７】
本発明は上記観点からなされたもので、ユーザの状況に適する音楽を自動的に選択して再生する機能又はサービスであって、ユーザの操作を一切必要としないシステム及び方法を提供することを目的とする。本発明は、自分のエモーションにあわせた音楽再生を可能としたシステム及び方法である。
【課題を解決するための手段】
【０００８】
この発明は、携帯電話の基地局と、携帯電話と、これに接続可能な又は内蔵される音楽再生装置とを備えるシステムにおいて、前記音楽再生装置で記憶している多数の音楽からユーザのおかれている状況に適合するものを抽出して再生するための方法であって、
複数の音楽データを用意し、
前記複数の音楽データそれぞれに予め定められた複数のシーンパラメータの少なくともひとつを対応付け、
前記音楽再生装置に前記複数の音楽データ及び対応付けられた前記シーンパラメータを記憶し、
前記複数のシーンパラメータから選択された一部のシーンパラメータを前記基地局から送信し、
前記携帯電話で前記基地局からシーンパラメータを受信し、
受信した前記シーンパラメータを前記音楽再生装置へ送出し、
前記音楽再生装置で前記基地局から受信した前記シーンパラメータに一致又は対応するシーンパラメータが対応付けられた音楽データを前記複数の音楽データから抽出し、
抽出された音楽データを前記音楽再生装置で再生する、ものである。
【０００９】
例えば、前記音楽データに対応づけられるシーンパラメータは時刻又は時間帯を示すものであり、
前記基地局から受信するシーンパラメータは少なくとも時刻情報を含むものであり、
前記音楽再生装置で前記基地局から受信した時刻情報に一致又は対応する時刻又は時間帯のシーンパラメータが対応付けられた音楽データを前記複数の音楽データから選択する。
【００１０】
例えば、前記音楽データに対応づけられるシーンパラメータは前記基地局ごとに予め定められた場所を示すものであり、
前記基地局から受信するシーンパラメータは少なくとも当該基地局の識別情報又は場所情報を含むものであり、
前記音楽再生装置で前記基地局から受信した識別情報又は場所情報に一致又は対応するシーンパラメータが対応付けられた音楽データを前記複数の音楽データから選択する。
【００１１】
例えば、前記音楽データに対応づけられるシーンパラメータは予め定められた他の携帯電話との相対的位置関係を示すものであり、
前記基地局から受信するシーンパラメータは少なくとも前記他の携帯電話の位置情報を含むものであり、
前記携帯電話で前記基地局から受信する当該基地局の場所情報又はＧＰＳなどの位置測定手段の出力に基づき自分の前記携帯電話の位置情報を取得し、
前記他の携帯電話の位置情報と自分の前記携帯電話の位置情報に基づき両者の相対的位置関係を取得し、
前記音楽再生装置で前記相対的位置関係に一致又は対応するシーンパラメータが対応付けられた音楽データを前記複数の音楽データから選択する。
【００１２】
例えば、前記音楽データに対応づけられるシーンパラメータは予め定められた他の携帯電話との相対的位置関係を示すものであり、
前記基地局から受信するシーンパラメータは少なくとも前記他の携帯電話との相対的位置情報を含むものであり、
前記音楽再生装置で前記相対的位置関係に一致又は対応するシーンパラメータが対応付けられた音楽データを前記複数の音楽データから選択する。
【００１３】
この発明は、携帯電話に接続可能な又は内蔵される音楽再生装置であって、音楽データ及び前記音楽データに対応付けられた少なくともひとつのシーンパラメータを含むデータを複数記憶している音楽再生装置において、複数の音楽データからユーザのおかれている状況に適合するものを抽出して再生する方法をコンピュータに実行させるためのプログラムであって、
前記携帯電話で基地局からシーンパラメータを受信し、
受信した前記シーンパラメータを前記携帯電話から受け、
前記音楽再生装置で前記基地局から受信した前記シーンパラメータに一致又は対応するシーンパラメータが対応付けられた音楽データを前記複数の音楽データから抽出し、
抽出された音楽データを前記音楽再生装置で再生する、ことを実行させるためのプログラムである。
【００１４】
前記プログラムで、
抽出された音楽データを前記音楽再生装置で再生しているときにキャンセル操作が行われた場合において、前記音楽再生装置でユーザに対して当該音楽が現在の状況にふさわしくないからキャンセルするのか、それとも一時的にキャンセルをするのかを問う表示を行い、
ユーザから前記表示に対する回答又は操作を受け、
前記回答又は操作に応じて当該音楽データの前記シーンパラメータを削除する、ことをさらに実行させるようにしてもよい。
【００１５】
前記プログラムで、
前記シーンパラメータが全く対応づけられていない音楽データを検索し、
前記検索された音楽データを再生し、
ユーザによるキャンセル操作が行われるかどうか監視し、
ユーザによるキャンセル操作が行われなかったときに前記検索された音楽データに受信した前記シーンパラメータを割り当てる、ことをさらに実行させるようにしてもよい。
【００１６】
この発明に係るプログラムは、例えば、記録媒体に記録される。
媒体には、例えば、ＥＰＲＯＭデバイス、フラッシュメモリデバイス、フレキシブルディスク、ハードディスク、磁気テープ、光磁気ディスク、ＣＤ（ＣＤ−ＲＯＭ、Ｖｉｄｅｏ−ＣＤを含む）、ＤＶＤ（ＤＶＤ−Ｖｉｄｅｏ、ＤＶＤ−ＲＯＭ、ＤＶＤ−ＲＡＭを含む）、ＲＯＭカートリッジ、バッテリバックアップ付きのＲＡＭメモリカートリッジ、フラッシュメモリカートリッジ、不揮発性ＲＡＭカートリッジ等を含む。
【００１７】
媒体とは、何等かの物理的手段により情報（主にデジタルデータ、プログラム）が記録されているものであって、コンピュータ、専用プロセッサ等の処理装置に所定の機能を行わせることができるものである。
【発明の効果】
【００１８】
本発明によれば、シーンパラメータを用いることにより、ユーザの状況に適する音楽を自動的に選択して再生することができる。したがって、ユーザは何ら特別の操作を行うことなく、多数の音楽から状況に適した音楽のみを聞くことができる。
【発明を実施するための最良の形態】
【００１９】
発明の実施の形態１．
＜システムの概要＞
図１は、この発明の実施の形態の概要を示す図である。図１において、ＭＣは携帯電話のキャリア、１０は当該携帯電話キャリアの携帯電話基地局である。１は当該携帯電話キャリアのサービスを受けている携帯電話である。携帯電話１には携帯音楽再生装置２が内蔵されるか、又は携帯電話１に接続可能に構成されていて、携帯音楽再生装置２は携帯電話１を通じて携帯電話基地局１０からシーンパラメータ（詳細は後述）を受信できるようになっている。携帯音楽再生装置２は、多数の音楽データ（後述のメタデータを含む）２１ａとシーンパラメータ２１ｂを記憶する記憶部（ハードディスクや半導体メモリ／メモリカード）２１と、シーンパラメータ２１ｂに基づき多数の音楽データ２１ａからシーンパラメータに適合するものを抽出する音楽抽出部２２とを備えるほか、図示しないスピーカーやオーディオアンプ、ＣＰＵやメモリ、Ｄ−Ａ変換器等を備えている。
【００２０】
図１のシステム、携帯音楽再生装置２が携帯電話１に搭載されるか、または、これらが別個の装置であっても両者は無線などにより通信可能であることが前提である。
【００２１】
ユーザは、携帯音楽再生装置２に音楽データを登録するにあたり、その「曲名」や「秒数」「作家」などの情報を例えばインターネット経由で入手し登録している（詳細は後述）。
上記登録時、それに合わせて「シーンパラメータ」を取得し登録する。
【００２２】
携帯電話の基地局からの「時間」「場所」「天気」「外的状況(社会的公知の状況=事故や事件などとの同期)」「内的状況(自局の状況：移動状況や事前登録した株式などの社会的公知状況、または特定携帯局との関係（彼女端末との距離）)などの「シーンパラメータ」を受け取り、その「シーンパラメータ」にあった音楽を携帯音楽再生システムが再生する。パラメータとして上記以外のもの、例えば、気温、標高、Ｍａｉｌの数、電話回線の混雑度、同一利用基地局内の携帯電話の数、複数基地局エリアを自携帯電話が横切った時間などから計算され求められる移動スピードなどを適用することができる。
【００２３】
利用イメージは次のようなものである。
・雨の降っている夕暮れに、都市部で携帯音楽再生装置を利用するユーザにもっとも合った曲の再生
・晴れ上がった朝に、田園地帯で携帯音楽再生装置を利用するユーザにもっとも合った曲の再生
【００２４】
図１のシステムによれば、シーンパラメータを用いることにより、ユーザの状況に適する音楽を自動的に選択して再生することができる。図１のシステムは次の特徴を備える。
【００２５】
１）ユーザが曲名を指定する必要がない
特許文献１記載の技術では、ユーザにより事前にあるいは聞く時に、曲名を選択指定し、再生をさせている。
しかし、発明の実施の形態に係る方法は曲名の指定をユーザが行うものではない。すなわち、ユーザが機器中に保存している曲の中から、そのシーンに合う曲を外部であるネットワーク経由で提供される、あるいは機器内部から発生するシーンパラメータを利用し適時再生させる技術であり、ユーザ自らは選曲に関与しない。
【００２６】
２）再生順の指定を必要としない
特許文献１記載の技術では、事前に曲再生の何らかのリストを準備することが必要である。
しかし、発明の実施の形態に係る方法は再生順の指定をユーザが行う必要はない。上記１）で示すよう、再生順も外部的内部的に提供されるシーンパラメータに起因し、ユーザ自らは再生順に関与しない。
【００２７】
＜音楽データとシーンパラメータの取得＞
図２は携帯音楽再生装置２に音楽データ（メタデータを含む）をダウンロードするためのシステムの概要図である。音楽データのダウンロードに際しては、音楽データのみならず、その音楽データに関連するメタデータも一緒にダウンロードされる。つまり、その音楽データのタイトル、作詞者、作曲者、再生時間、ジャンル、リリース年月日等の関連情報から成るメタデータも音楽データと一緒にダウンロードされる。そして、ダウンロードされた音楽データ、およびその音楽データのメタデータは、記憶部２１に１つのファイル形式によって記録される（図７参照）。
【００２８】
図２は、インターネット等のコンピュータネットワークを介した音楽データの配信システムを示したものである。
【００２９】
音楽データ配信サーバＳは、音楽データ、およびメタデータを保持し、携帯音楽再生装置２又は携帯電話１からの音楽データの配信要求に応じて、音楽データおよびメタデータをインターネットＩＮＴを介して携帯音楽再生装置２へ送信する。携帯音楽再生装置２は、音楽データ配信サーバＳから受取った音楽データと、そのメタデータとを１つのファイル形式によって記憶部２１に記録する（図７参照）。
【００３０】
音楽データは、各種の配信システムを用いて配信され（図２は一例である）、携帯音楽再生装置２の記憶部２１に音楽データと、その音楽データのメタデータとが記録される。
【００３１】
図７を参照して、記憶部２１に記録されるコンテンツ２１ａのデータフォーマットについて説明する。記憶部２１は、コンテンツ１〜Ｎをファイル形式によって記憶する。コンテンツ１〜Ｎの各々は、メタデータ６０と、音楽データ６１とから成る。メタデータ６０は、音楽データ６１と関連する複数の関連情報から成る。関連情報としては、音楽データ６１のタイトル、アーティスト名、再生時間、作詞者、作曲者、レーベル名、ジャンル、およびリリース年月日等である。また、記憶部２１は、コンテンツリスト６２も記憶する。コンテンツリスト６２は、コンテンツ１〜Ｎのメタデータから主用な関連情報であるタイトル、アーティスト名、および再生時間を抜き出して作成されたものである。コンテンツリスト６２は、携帯音楽再生装置２が記憶部２１の音楽データを再生するとき読出され、現在、再生されている音楽データがユーザに解かるように図示しないディスプレイに表示するのに用いられる。
【００３２】
コンテンツリスト６２は、シーンパラメータも含んでいる。記憶部２１に記憶されているシーンパラメータは、携帯電話基地局１０から送られてくるシーンパラメータに対応するものであり、当該音楽を再生すべき状況を示すパラメータである。図７において符号ａ，ｂ，ｃ，・・・で示したものがシーンパラメータである。これらａ，ｂ，ｃ，・・・は予めどのような状況を意味するか決められている。例えば、ａは時刻又は時間帯に関するパラメータであって夕刻（１６：００〜１８：００）を意味し、ｂは場所に関するパラメータであって都市部（東京２３区）を意味し、ｃは天気に関するパラメータであって降雨を意味する。
【００３３】
図３は音楽データへのシーンパラメータ付加処理を示すフローチャートである。この処理は例えば音楽データ配信サーバＳで実行される。
任意の音楽についてシーンパラメータを選択する（Ｓ１）。例えば、静かな気持ちを落ち着かせるような音楽であれば、夕刻を意味するパラメータ＝ａ、都市部を意味するパラメータ＝ｂ、降雨を意味するパラメータ＝ｃを選択する。この選択は人間により行われる。
選択されたシーンパラメータをメタデータに付加する（Ｓ２）。
【００３４】
図４は基地局（又は携帯電話キャリア）でのシーンパラメータ送信処理を示す。
時刻情報を取得し、シーンパラメータに変換する（Ｓ１０）。
自分の位置情報（基地局識別情報）シーンパラメータに割り当てる（Ｓ１１）。東京２３区内にある基地局であればシーンパラメータｂを割り当てる。
当該基地局における気象情報を取得し、シーンパラメータに変換する（Ｓ１２）。降雨であればシーンパラメータｃとする。
その他の外的状況を取得し、シーンパラメータに変換する（Ｓ１３）。外的状況として、事件や事故、株価指標、野球やサッカーなどの試合結果など、さまざまなものが考えられる。どのようなものをシーンパラメータに変換するかは、各ユーザが予め指定しておく。
以上のように得られたシーンパラメータを送信する（Ｓ１４）。
【００３５】
図５は、予め指定された他の携帯電話との相対的位置関係をシーンパラメータに変換する処理を示す。
予め申し込みを受けたユーザの携帯電話の位置を取得する（Ｓ２０）。
当該携帯電話のユーザにより予め指定された他の携帯電話の位置を取得する（Ｓ２１）。
両者の相対的位置関係（例えば距離）を算出する（Ｓ２２）。携帯電話キャリアは、どの基地局と通信しているかを判別することにより各携帯電話のおおよそ位置を取得することができるので、前記相対的位置関係を求めることができる。
前記相対的位置関係をシーンパラメータに変換する（Ｓ２３）。例えば、友人や恋人と待ち合わせているとき、両者の距離が短くなるにつれて、Ｌ１、Ｌ２、Ｌ３、・・・のようにシーンパラメータを変化させる。
以上のように得られたシーンパラメータを送信する（Ｓ２４）。
【００３６】
なお、図５は携帯電話キャリアで２つの携帯電話の相対的位置関係を求めるものであった。本発明はこれに限定されない。例えば次の手順で相対的位置関係を求めることもできる。
【００３７】
基地局から受信するシーンパラメータには他の携帯電話の位置情報が含まれている。携帯電話で基地局から受信する当該基地局の識別情報又はＧＰＳなどの位置測定手段から自分の前記携帯電話の位置情報を取得する（ＧＰＳ付き携帯電話は公知である）。他の携帯電話の位置情報と自分の前記携帯電話の位置情報に基づき相対的位置関係を取得する。
【００３８】
図６は携帯音楽再生装置の処理フローチャートである。
シーンパラメータを受信したら（Ｓ３０）、シーンパラメータに一致又は対応する音楽を抽出する（Ｓ３１）。シーンパラメータは、携帯電話基地局１０から送られてくるシーンパラメータに対応するものであり、当該音楽を再生すべき状況を示すパラメータである。図７において符号ａ，ｂ，ｃ，・・・で示したものがシーンパラメータである。これらａ，ｂ，ｃ，・・・は予めどのような状況を意味するか決められている。例えば、ａは時刻又は時間帯に関するパラメータであって夕刻（１６：００〜１８：００）を意味し、ｂは場所に関するパラメータであって都市部（東京２３区）を意味し、ｃは天気に関するパラメータであって降雨を意味する。例えば、携帯電話基地局１０からシーンパラメータａ，ｂ，ｃが送られてきたとき、音楽抽出部２２はシーンパラメータａ，ｂ，ｃを含むＮ番目の音楽を抽出する（Ｓ３１）。抽出された音楽を再生する（Ｓ３２）。
【００３９】
このような手順により、「雨の降っている夕暮れに、都市部で携帯音楽再生装置を利用するユーザにもっとも合った曲」を再生することができる。
【００４０】
シーンパラメータとして上記以外のもの、例えば、気温、標高、Ｍａｉｌの数、電話回線の混雑度、同一利用基地局内の携帯電話の数も利用することができる。これらパラメータの送信処理は図４の場合と同様であり、携帯音楽再生装置での処理は図６の場合と同様である。また、シーンパラメータとして、複数基地局エリアを自携帯電話が横切った時間などから計算され求められる移動スピードを適用することができる。この場合、携帯電話キャリアで当該携帯電話を追跡し、各基地局でカバーするエリアに当該携帯電話が入ってからそこを出るまでの時間から移動スピードを算出する。
【００４１】
発明の実施の携帯によれば、シーンパラメータを用いることにより、ユーザの状況に適する音楽を自動的に選択して再生することができる。
【００４２】
発明の実施の形態２．
発明の実施の形態１の図３の処理で音楽データにシーンパラメータが追加された後、シーンパラメータをユーザが編集できるようにしてもよい。例えば、直接シーンパラメータを削除・変更・追加できるようにしてもよい。さらに、以下のような学習機能を備えることが好ましい。
【００４３】
発明の実施の形態２に係るシーンパラメータの学習機能を図８のフローチャートを参照して説明を加える。
【００４４】
抽出した音楽を再生する（Ｓ４０）。なお、図８では、図６の処理Ｓ３０，Ｓ３１の表示は省略している。その後のシーンパラメータを用いた音楽データの自動再生中にキャンセル操作を行うと（Ｓ４１でＹＥＳ）、携帯音楽再生装置は、キャンセルの理由として現状のシーンにふさわしくないのか、または、今回のみキャンセルをするのかを問い合わせる（Ｓ４２）。例えば、携帯音楽再生装置の図示しない表示部にその旨の表示、例えば「１：一時的なキャンセルですか？  ２：現在の音楽が現状のシーンにふさわしくないのですか？  １又は２を押してください」を行ったり、ヘッドフォンにその旨の自動音声を流すようにする。ユーザの回答（スイッチの操作）が現状のシーンにふさわしくない（前記例で「２」）を意味するとき、当該音楽データに対応するシーンパラメータが変更される（Ｓ４３で２：ふさわしくない  −＞  Ｓ４４）。それ以降、その曲が同様のシーンで再生されることは無くなるようにシーンパラメータは修正される。図１０（ａ）の例では、Ｎｏ．２の音楽に割り当てられていたシーンパラメータｂが削除される。Ｎｏ．２の音楽にはひとつのシーンパラメータのみが割り当てられていたので、その結果Ｎｏ．２の音楽はシーンパラメータを持たなくなる。
【００４５】
発明の実施の形態２によれば、特段の編集作業を行うことなく、キャンセル操作のみでユーザの好みに合う音楽とシーンパラメータの組み合わせを得ることができる。
【００４６】
発明の実施の形態３．
発明の実施の形態１の図６の処理では、指定されたシーンパラメータに対応する少なくともひとつの音楽データが存在することを前提にしている。しかし、該当する音楽データが無い場合の考えられる（図１０（ａ）参照）。発明の実施の形態１ではそのようなことが想定されていないが、その場合は、他の任意の音楽を再生するか、又は以下に述べる処理が有効である。
【００４７】
発明の実施の形態３に係るシーンパラメータの学習機能を図９のフローチャートを参照して説明を加える。
【００４８】
シーンパラメータを受信したら（Ｓ５０）、シーンパラメータに一致又は対応する音楽を抽出する（Ｓ５６）が、発明の実施の形態３では、まずシーンパラメータが空欄の音楽データを検索する（Ｓ５１）。空欄の音楽データがあったとき（Ｓ５２でＹＥＳ）、最初に又は任意のタイミングでシーンパラメータが空欄の音楽を再生する（Ｓ５３）。この再生に対してユーザがキャンセル操作を行わない場合（Ｓ５４でＮＯ）、そのシーンが適当であるとして当該音楽データに当該シーンパラメータを追加する（Ｓ５６）。図１０（ｂ）の例では、空欄の音楽データとしてＮｏ．２が検索され、これが再生され、キャンセルされなかったとき、図９のＳ５０で受信されたシーンパラメータｄが同Ｓ５５でＮｏ．２の音楽データに追加される。  
【００４９】
本発明は、以上の実施の形態に限定されることなく、特許請求の範囲に記載された発明の範囲内で、種々の変更が可能であり、それらも本発明の範囲内に包含されるものであることは言うまでもない。
【図面の簡単な説明】
【００５０】
【図１】発明の実施の形態に係るシステムの概要を示す図である。
【図２】携帯音楽再生装置に音楽データをダウンロードするためのシステムの概要図である。
【図３】発明の実施の形態に係る音楽データへシーンパラメータを付加する処理フローチャートである。
【図４】発明の実施の形態に係る基地局（又は携帯電話キャリア）でのシーンパラメータ送信処理フローチャートである。
【図５】発明の実施の形態に係る、予め指定された他の携帯電話との相対的位置関係をシーンパラメータに変換する処理フローチャートである。
【図６】発明の実施の形態に係る携帯音楽再生装置の処理フローチャートである。
【図７】発明の実施の形態に係る音楽データ、メタデータ及びシーンパラメータのデータフォーマットの説明図である。
【図８】発明の実施の形態２に係る携帯音楽再生装置の処理フローチャートである。
【図９】発明の実施の形態３に係る携帯音楽再生装置の処理フローチャートである。
【図１０】発明の実施の形態２と３の処理を説明するための音楽データとシーンパラメータの説明図である。
【符号の説明】
【００５１】
１    携帯電話
２    携帯音楽再生装置
２１  記憶部
２２  音楽抽出部
３    パソコン
１０  携帯電話基地局
ＩＮＴ  インターネット
ＭＣ  携帯電話キャリア
ＩＮＴ  インターネット
【図１】
2006259082.tif 000003
【図２】
2006259082.tif 000004
【図３】
2006259082.tif 000005
【図４】
2006259082.tif 000006
【図５】
2006259082.tif 000007
【図６】
2006259082.tif 000008
【図７】
2006259082.tif 000009
【図８】
2006259082.tif 000010
【図９】
2006259082.tif 000011
【図１０】
2006259082.tif 000012